(57)【特許請求の範囲】
【請求項１】
移動体のデータサービスをサポートする無線通信ネットワークで複数のデータサービスオプションから選択するシステムにおいて、
前記システムは、
呼を発生し、選択されたデータサービスオプションにしたがってデータを送信および受信する端末装置を具備し、
前記端末装置は、
呼を開始するためのダイヤルコマンドストリングを表した１以上の符号のシーケンスを入力するダイヤルインターフェースを含んでおり、前記入力符号シーケンスはデータサービスオプションの選択を示す情報を含んでおり、
前記システムはさらに、
前記端末装置に結合され、前記端末装置から前記ダイヤルコマンドストリングを受信し、標準的な電話番号と、異なるデータサービスオプションを表す予約された電話番号シーケンスを含んでいる複数の予め定められた符号シーケンスを記憶し、前記ダイヤルコマンドストリングの内容を、前記記憶され予め定められた符号シーケンスと比較するための移動体無線通信装置を具備し、
前記移動体無線通信装置は、それが前記ダイヤルコマンドストリングの前記内容が前記予約された電話番号シーケンスの１つと一致することを決定したとき前記選択されたデータサービスオプションにしたがって動作し、
前記移動体無線通信装置が、前記ダイヤルコマンドストリングの前記内容が前記予約された電話番号シーケンスの１つと一致しないことを決定したとき、前記移動体無線通信装置は、非同期データサービスおよびファクシミリサービスにしたがって動作し、目的地の電話番号として動作する一致しないダイヤルコマンドストリングの前記内容で前記非同期データサービスとファクシミリサービスの１つに基づいて呼を開始する、システム。
【請求項２】
前記選択されたデータサービスオプションは前記一致する予約された電話番号シーケンスに含まれている情報によって決定される請求項１記載のシステム。
【請求項３】
前記入力符号シーケンスは文字数字符号を含んでいる請求項２記載のシステム。
【請求項４】
前記予め定められた符号シーケンスは文字数字符号を含んでいる請求項３記載のシステム。
【請求項５】
移動体のデータサービスをサポートする無線通信システムで複数のデータサービスオプションから選択する方法において、
前記無線通信システムは、呼を開始し、選択されたデータサービスオプションにしたがってデータを送信および受信する端末装置と、前記端末装置に結合し、前記無線通信システムとインターフェースし、シグナリングメッセージを前記端末装置へ送信するための移動体無線通信装置とを具備し、
異なるデータサービスオプションと複数の標準的な電話番号を表す複数の予約された電話番号シーケンスを含んでいる複数の予め定められた符号シーケンスをメモリに記憶し、
前記呼を発生するためのダイヤルコマンドストリングを表す１以上の符号のシーケンスを前記端末装置へ入力し、前記入力符号シーケンスはデータサービスオプションの選択を示す情報を含み、
前記端末装置から前記ダイヤルコマンドストリングを前記移動体無線通信装置において受信し、
前記受信されたダイヤルコマンドストリングの内容を前記移動体無線通信装置において検査し、
前記ダイヤルコマンドストリングの内容を前記記憶された予め定められた符号シーケンスと前記移動体無線通信装置において比較し、
前記ダイヤルコマンドストリングの前記内容と、前記記憶された予め定められた符号シーケンスの一致を前記移動体無線通信装置において決定し、
前記移動体無線通信装置は、それが前記ダイヤルコマンドストリングの前記内容が前記予約された電話番号シーケンスの１つと一致することを決定したとき前記選択されたデータサービスオプションにしたがって動作し、
前記移動体無線通信装置が、前記ダイヤルコマンドストリングの前記内容が前記予約された電話番号シーケンスの１つと一致しないことを決定したとき、前記移動体無線通信装置は、非同期データサービスおよびファクシミリサービスにしたがって動作し、目的地の電話番号として動作する一致しないダイヤルコマンドストリングの前記内容で前記非同期データサービスとファクシミリサービスの１つに基づいて呼を開始する、方法。
【請求項６】
前記選択されたデータサービスオプションは前記一致する予約された電話番号シーケンスに含まれている情報によって決定される請求項５記載の方法。
【請求項７】
前記入力符号シーケンスは文字数字符号を含んでいる請求項６記載の方法。
【請求項８】
前記予め定められた符号シーケンスは文字数字符号を含んでいる請求項７記載の方法。
【請求項９】
移動体のデータサービスをサポートする無線通信システムで複数のデータサービスオプションから選択する機構において、
呼を開始し、選択されたデータサービスオプションにしたがってデータを送信および受信し、前記呼を開始するためのダイヤルコマンドストリングを表す１以上の符号のシーケンスを入力する手段を含み、前記入力符号シーケンスはデータサービスオプションの選択を示す情報を含んでいる、端末装置と、
前記端末装置に結合され、前記無線通信システムとインターフェースし、シグナリングメッセージを前記端末装置へ送信するための移動体無線通信装置とを具備し、
前記移動体無線通信装置は、
前記端末装置から前記ダイヤルコマンドストリングを受信する手段と、
前記受信されたダイヤルコマンドストリングの内容を検査する手段と、
異なるデータサービスオプションと複数の標準的な電話番号を表す複数の予約された電話番号を含んでいる複数の予め定められた符号シーケンスを記憶する手段と、
前記ダイヤルコマンドストリングの内容を前記記憶された予め定められた符号シーケンスと比較する手段と、
前記ダイヤルコマンドストリングの前記内容と、前記記憶された予め定められた符号シーケンスとの一致を決定する手段とを含んでおり、
前記移動体無線通信装置は、前記ダイヤルコマンドストリングの前記内容が前記予約された電話番号シーケンスの１つと一致することを前記移動体無線通信装置が決定したとき前記選択されたデータサービスオプションにしたがって動作し、
前記移動体無線通信装置が、前記ダイヤルコマンドストリングの前記内容が前記予約された電話番号シーケンスの１つと一致しないことを決定したとき、前記移動体無線通信装置は、非同期データサービスおよびファクシミリサービスにしたがって動作し、目的地の電話番号として動作する一致しないダイヤルコマンドストリングの前記内容で前記非同期データサービスとファクシミリサービスの１つに基づいて呼を開始する、機構。
【請求項１０】
前記選択されたデータサービスオプションは前記一致する予約された電話番号シーケンスに含まれている情報によって決定される請求項９記載の機構。
【請求項１１】
前記入力符号シーケンスは文字数字符号を含んでいる請求項１０記載の機構。
【請求項１２】
前記予め定められた符号シーケンスは文字数字符号を含んでいる請求項１１記載の機構。
【請求項１３】
移動体のデータサービスをサポートする無線通信システムで複数のデータサービスオプションから選択する方法において、
前記無線通信システムは、呼を開始し、選択されたデータサービスオプションにしたがってデータを送信および受信する端末装置と、前記端末装置に結合されて前記無線通信システムとインターフェースし、シグナリングメッセージを前記端末装置へ送信するための移動体無線通信装置とを具備し、
前記方法は、
異なるデータサービスオプションと複数の標準的な電話番号を表す予約された電話番号シーケンスを含んでいる複数の予め定められた符号シーケンスをメモリに記憶し、
前記呼を発生するためのＡＴダイヤルコマンドストリングを表す１以上の符号のシーケンスを前記端末装置へ入力し、前記入力符号シーケンスはデータサービスオプションの選択を示す情報を含み、
前記端末装置から前記ＡＴダイヤルコマンドストリングを前記移動体無線通信装置により受信し、
前記受信されたＡＴダイヤルコマンドストリングの内容を前記移動体無線通信装置により検査し、
前記ＡＴダイヤルコマンドストリングの内容を前記記憶された予め定められた符号シーケンスと前記移動体無線通信装置によって比較し、
前記ＡＴダイヤルコマンドストリングの前記内容と、前記記憶された予め定められた符号シーケンスの一致を前記移動体無線通信装置によって決定し、
前記移動体無線通信装置は、それがＡＴダイヤルコマンドストリングの前記内容が前記予約された電話番号シーケンスの１つと一致することを決定したとき、前記選択されたデータサービスオプションにしたがってデータを送信するように前記端末装置に信号を送信し、前記選択されたデータサービスオプションは前記一致し予約された電話番号に含まれる情報によって識別され、
前記選択されたデータサービスオプションは、前記ＡＴダイヤルコマンドストリングの内容が前記予約された電話番号シーケンスの１つと一致しないことを前記移動体無線通信装置が決定したとき非同期データサービスとファクシミリサービスの１つであり、前記一致しないＡＴダイヤルコマンドストリングの内容は前記非同期データサービスとファクシミリサービスの目的地の電話番号として動作する方法。
【請求項１４】
前記入力符号シーケンスと前記予め定められた符号シーケンスは文字数字符号を含んでいる請求項１３記載の方法。
【請求項１５】
前記異なるデータサービスオプションはＣＤＭＡデータサービスオプションを含んでいる請求項１記載のシステム。
【請求項１６】
前記異なるデータサービスオプションはＣＤＭＡデータサービスオプションを含んでいる請求項５記載の方法。
【請求項１７】
前記異なるデータサービスオプションはＣＤＭＡデータサービスオプションを含んでいる請求項９記載の機構。
【請求項１８】
前記異なるデータサービスオプションはＣＤＭＡデータサービスオプションを含んでいる請求項１３記載の方法。
【発明の詳細な説明】
【０００１】
【発明の属する技術分野】
本発明は無線通信分野に関する。特にデータサービスサポートを有する無線通信ネットワークの移動体サービスデータオプションの選択を決定する優秀で改良された方法およびシステムに関する。
【０００２】
【従来の技術】
無線通信システムとコンピュータに関する技術における最近の革新と、インターネット加入者の前例にない成長は、移動体コンピュータ処理の道を切り開いている。実際に、移動体コンピュータ処理の普及により、移動体ユーザにさらにサポートを与えるための現在のインターネットインフラストラクチャには大きな需要がある。これらの需要を満たしてユーザにこのようなサポートを与える１つの決定的な部分は無線通信システムにおけるコード分割多元アクセス（ＣＤＭＡ）技術の使用である。
【０００３】
ＣＤＭＡ技術は数十年間、軍事およびインテリジェンス−集収衛星通信システムで使用されている。しかしながら、無線商用通信アプリケーションに対してＣＤＭＡの潜在性が開発されたのはつい最近である。有効な周波数スペクトルを狭いチャンネルに分割し、会話を各チャンネルに割当てる通常のアナログおよびデジタル通信システムと異なって、ＣＤＭＡシステムは特有のコードを各会話へ割当て、複数の同時的な会話を広帯域の拡散スペクトル帯域幅へ拡大する。受信装置が正確なコードを有する限り、ＣＤＭＡシステムの同一の帯域幅にわたって同時に送信される他の会話からその会話を適切に検出し、選択できる。ＣＤＭＡ（即ち拡散スペクトル）広帯域無線通信システムの標準は通常、ここで参考文献とされる“MOBILE STATION-BASE STATION COMPATIBILITY STANDARD FOR DUAL-MODE WIDEBAND AND SPREAD SPECTRUM CELLULAR SYSTEM ”で1993年７月に出版された米国電気通信工業会／米国電子工業会の暫定標準９５（ＴＩＡ／ＥＩＡ  ＩＳ−９５）により通常与えられる。
【０００４】
さらに最近、ＣＤＭＡ技術はデータサービストラフィックに適合するのに理想的であるとして認識されている。実際に、ここで参考文献とされる1998年２月出版の“DATA SERVICE OPTIONS FOR WIDEBAND SPREAD SPECTRUM SYSTEMS ”に規定されているようにＴＩＡ／ＥＩＡ  ＩＳ-707では、無線ＣＤＭＡ通信ネットワーク内で適切なデータサービスオプションを与える。この標準方式は非同期データ、グループIII ファクシミリ、秘密保護電話装置（ＳＴＵ−III ）アプリケーションのような回路切換えデータ／モデムエミュレーションサービスを含んでいる。さらにインターネットに関連するｅ−メールとウェブブラウジング能力等のパケット切換えサービスを含んでいる。
【０００５】
これらのサービスは移動体ユーザがインターネットをアクセスするためにラップトップまたはパームトップコンピュータを使用することを可能にする。即ち丁度、静止したユーザが伝統的に彼等のデスクトップコンピュータをランドベースのネットワークへ接続するために“有線”接続装置を使用するように、移動体ユーザはそれらの移動体ラップトップをこのようなネットワークへ接続するため無線通信装置（ＭＴ２装置）を使用できる。ここで使用されているように、ＭＴ２装置は、トランジットしながらまたは不特定の点で停止中に使用されることができる無線通信ネットワークの任意の加入者局を意味している。ＭＴ２装置はポータブル装置（例えば手持ち式の個人電話）と、ビークルに永久的に設置された装置（例えば設置された移動体電話装置）と、無線局部ループ（ＷＬＬ）電話を含んでいる。
【０００６】
図１は、移動体端末装置ＴＥ２装置102 （例えばラップトップまたはパームトップコンピュータ）が無線通信システムによって相互動作機能（ＩＷＦ）108 と通信する無線データ通信システムの高レベルのブロック図を示している。無線通信システムは、無線通信装置であるＭＴ２装置104 と、基地局／移動体交換局（ＢＳ／ＭＳＣ）106 を含んでいる。ＩＷＦ108 は、インターネットへのアクセス点またはゲートウェイとして機能する。ＬインターフェースはＩＷＦ 108をＢＳ／ＭＳＣ 106へ結合する。しばしばＩＷＦ 108はＢＳ／ＭＳＣと同じ位置に存在する。
【０００７】
ＴＥ２装置102 はＲm インターフェースを介してＭＴ２装置104 に電子的に結合される。ＭＴ２装置104 は無線インターフェースＵm を介してＢＳ／ＭＳＣ106 と通信する。ＴＥ２装置102 とＭＴ２装置104 は単一の装置に一体化されてもよく、ラップトップがＴＥ２装置102 として動作し、そのトランシーバがＭＴ２装置104 として動作する設置された移動体電話装置の場合にように分離されてもよい。一体化されているか分離されているかのいずれかのＴＥ２装置102 とＭＴ２装置104 の組合わせは移動局（ＭＳ）103 とも呼ばれる。
【０００８】
前述したように、ＣＤＭＡデータサービスオプションはそのパケット−スイッチ機能により直接インターネットアクセスを与える。特に1998年２月出版の“DATA SERVICE OPTIONS FOR WIDEBAND SPREAD SPECTRUM SYSTEMS: PACKET DATA SERVICES ”（ここで参考文献とされている）に記載されたＴＩＡ／ＥＩＡ  ＩＳ-707.5標準方式は、ＴＩＡ／ＥＩＡ  ＩＳ-95 広帯域拡散スペクトルシステムのパケットデータ伝送能力のサポートのための要求を規定している。ＩＳ-707.5は、ＢＳ／ＭＳＣ 106を介してＴＥ２装置102 とＩＷＦ 108との間の通信に使用されてもよいパケットデータ搬送サービスを特定し、多数のパケットデータサービスに適用できる手順を与える。
【０００９】
特に、ＩＳ-707.5標準方式はＢＳ／ＭＳＣ 106を介してＴＥ２装置102 とＩＷＦ 108との間で通信するために使用されてもよいパケットデータサービスオプションを特定する。そうすることで、ＩＳ-707.5はＲm インターフェースとＵm インターフェースとＬインターフェースのパケットデータプロトコルの要求を特定する２つのプロトコルオプションモデルを導入する。図２はプロトコルオプションモデル、中継層インターフェースプロトコルオプションモデル200 の一方を示し、ここではＴＥ２装置102 で動作するアプリケーションはパケットデータとネットワークアドレスを管理している。
【００１０】
図２の最も左側には通常の垂直フォーマットで示されているプロトコルスタックがあり、ＴＥ２装置102 で動作するプロトコル層を示している。ＴＥ２のプロトコルスタックの最上部にはアプリケーション層202 が位置する。パケットデータサービスオプションによりインターネットをアクセスする移動体ユーザでは、ウェブブラウザプログラム（例えばネットスケープナビゲータ（商標名）、マイクロソフトインターネットエクスプローラ（商標名）等）およびｅ−メール／メッセージングプログラム（例えばEudora（商標名））のような通信アプリケーションソフトウェアはＴＥ２装置102 のアプリケーション層202 を構成している。
【００１１】
図２で示されているように、ＴＥ２装置102 のトランスポート層プロトコル204 は送信制御プロトコル（ＴＣＰ）であってもよい。ＴＣＰは1981年９月に出版された“TRANSMISSION CONTROL PROTOCOL; DARPA INTERNET PROGRAM PROTOCOL SPECIFICATION”に規定されており。ここで参考文献とされている。基本的にＴＣＰは全てのアプリケーションへの確実なトランスポートサービスを与える。ＴＣＰはＴＥ２装置102 から、インターネットによって送信されるパケットまたはデータグラムに構成されるメッセージのアセンブリを管理する。
【００１２】
その代わりに、ＴＥ２装置102 のトランスポート層プロトコル204 はユーザデータグラムプロトコル（ＵＤＰ）を構成してもよい。ＵＤＰは、1980年８月に出版された“USER DATAGRAM PROTOCOL”のRequest For Comment 768 （ＲＦＣ 768）に規定されており、ここで参考文献とされている。ＴＣＰと同様に、ＵＤＰは全てのアプリケーションへトランスポートサービスを与える。しかしながら、ＴＥ２装置102 から来るメッセージをパケットまたはデータグラムにアセンブルする代わりに、ＵＤＰはメッセージが到着しそれらが逐次的に到着することを確実にするためにそのアプリケーション自体に依存する。
【００１３】
ＴＥ２装置102 のネットワーク層プロトコル206 は1981年９月に出版の“INTERNET PROTOCOL: DARPA INTERNET PROGRAM PROTOCOL SPECIFICATION”のRequest For Comment 791 （ＲＦＣ 791）に規定されており、ここで参考文献とされている。ＩＰプロトコルは全てのインターネット通信のアドレスおよび経路設定機能を管理するのでインターネットに必須である。これは３２ビットアドレスをパケットのヘッダに添付することによりこれを実現し、それによって、パケットが正しい目的地に到着することを確実にする。ネットワーク上の各コンピュータはＩＰパケットを転送する場所を見るためにＩＰアドレスをチェックする。
【００１４】
ＴＥ２装置102 のリンク層プロトコル208 は、1992年５月に出版された“THE POINT-TO-POINT PROTOCOL (PPP) ”のRequest For Comment 1661（ＲＦＣ 1661 ）に詳細に説明されているポイント・ツー・ポイントプロトコル（ＰＰＰ）であり、ここで参考文献とされている。ＰＰＰプロトコルはデータリンク接続を構成し検査し設定するのに使用されるリンク制御プロトコルである。ＰＰＰプロトコルはＴＥ２装置102 の上部プロトコル層から来るパケットをエンコードする。直列線リンク（即ちＴＥ２装置102 とＭＴ２装置104 との間のＴＩＡ／ＥＩＡ  232-F インターフェース）によってこれをこれらのＩＰパケットを送信し、多分ダイヤルアップ接続を得るために、ＰＰＰプロトコルはＩＰパケットをエンコードし、送信を容易にするためにこれらを“直列化”する。
【００１５】
図２は、ＴＥ２プロトコルスタックが中継層プロトコル210 を経てＲm インターフェースによってＭＴ２装置104 のプロトコルスタックに論理的に接続されることを示している。Ｒm インターフェースは1997年10月出版の“INTERFACE BETWEEN DATA TERMINAL EQUIPMENT AND DATA CIRCUIT-TERMINATING EQUIPMENT EMPLOYING SERIAL BINARY DATA INTERCHANGE ”に記載されたＴＩＡ／ＥＩＡ-232-F標準方式にしたがっている。
【００１６】
中継層インターフェースプロトコルオプションモデルの中心は、主要なリンク層接続がＴＥ２装置102 とＩＷＦ108 との間に設定される概念である。ＴＥ２装置102 はパケットデータおよびネットワークアドレス管理の全てのアスペクトに対して応答する。このように、ＭＴ２装置104 はＵm インターフェースによってＴＥ２装置102 フレームを送信し、Ｒm インターフェースによってＩＷＦ 108にフレームを送信するパイプとして単に作用する。それ故、インターネットアクセスは電話番号をダイヤルしてモデムの訓練／ハンドシェークを待機し、または信頼性を確実にするためオーバーヘッドデータコストを招くことなく実現される。
【００１７】
代わりに、ＣＤＭＡデータサービスオプションは非同期データサービスおよびファックスサービスのような回路切換えデータ／モデムエミュレーションサービスを提供する。これらのサービスオプションは通常のモデム／ファクシミリダイヤルアップ通信のプロトコル流に基本的にしたがっている。例えば、インターネットアクセスを獲得するため、移動体ユーザはデスクトップコンピュータの対応物に非常に類似して、アプリケーションソフトウェアを有するＴＥ２装置102 を使用し、直列通信リンクをインターネットサービスプロバイダ（ＩＳＰ）モデムへ設定するためにダイヤルアップ通信能力を有する。特にここで参考文献とされている1998年２月出版の“DATA SERVICE OPTIONS FOR WIDEBAND SPREAD SPECTRUM SYSTEMS: ASYNC DATA AND FAX SERVICES”に記載されたＴＩＡ／ＥＩＡ  ＩＳ-707.4はＴＩＡ／ＥＩＡ  ＩＳ-95 広帯域の拡散スペクトルシステムにおける非同期およびファックスサービスのサポートの要件を規定している。
【００１８】
ＩＳ-707.4非同期データおよびファックスサービスの例示的な実施形態が図３に示されており、これは各無線通信エンティティのプロトコルスタックを示している。ＩＳ-707.4標準方式では、アプリケーション層302 はＴＥ２装置102 で動作する通信アプリケーションソフトウェアを含んでいる。典型的に、通信アプリケーションソフトウェアはユーザダイヤルアップインターフェースを含んでいる。“ユーザフレンドリ”であるダイヤルアップインターフェースは、ＴＥ２装置102 に接続されている直列のＭＴ２装置102 のタイプをユーザが識別することを可能にし、呼を開始するために電話番号（例えばＩＳＰのモデム電話番号）とユーザ名／パスワードスクリプトを入力するように適応する。ダイヤルアップインターフェースは通常、ユーザにより入力された電話番号を受信し、これをコマンドストリングに変換するダイヤルアップエンジンを具備する。例示的なコマンドストリングはHayes （商標名）標準ＡＴコマンドセット言語に従うＡＴダイヤルコマンドストリングである。このようなＡＴダイヤルコマンドストリングの例は“ATDT 5551234”と“ATDT#777”である。しかしながら当業者は、他のインターフェースが等しい効果でＡＴダイヤルコマンドストリング以外のコマンドストリングを発生するために使用されてもよいことを容易に認識するであろう。
【００１９】
ＡＴダイヤルコマンドストリングに応答して、ＭＴ２装置104 はＢＳ／ＭＳＣ106 へＴＣＰベースの接続を最初に構成し、その後ダイヤルストリングコマンドに含まれる電話番号のダイヤル動作を付勢することによって非同期呼を送信する。ＭＴ２装置104 は接続を開き、ネットワーク層プロトコルＩＰ306 がメッセージの転送に使用されることを特定することによってＴＣＰプロトコル304 を構成する。ＩＰプロトコル306 はＴＣＰパケットを特定されたＩＰアドレスへ送信する。
【００２０】
ダイヤルした後、ＭＴ２装置104 は呼を設定するために遠隔ＩＳＰモデム336 とのハンドシェークおよび訓練動作を実行しなければならない。ダイヤルアップエンジンはＭＴ２装置104 が“接続”メッセージをＴＥ２装置102 へ返送し、遠隔ＩＳＰモデム336 へ接続されることを通知するのを待機する。接続メッセージはＴＥ２装置102 の通信アプリケーションソフトウェアにＩＰパケットのシリアル送信を開始させる。
【００２１】
各ＣＤＭＡデータサービスオプションはＴＩＡ／ＥＩＡ  ＩＳ-707.1に規定されてるサービスオプションにより識別される。図４に示されているように、サービスオプションフォーマットはベースデータサービス（例えば非同期データサービス、ファクシミリサービス、パケットデータ搬送サービス、または秘密保護電話装置サービス）を示すベースサービスオプション番号フィールドを含んでいる。ベースサービスオプション番号は非同期データ、ファックス、パケットデータ等のようなベースデータサービスを識別する。サービスオプションの修正はデータサービス特性セットを識別する。任意のベースデータサービスに対する第１の特徴セットは、割当てられたサービスオプション改訂０であり、次は割当てられたサービスオプション改訂１であり、サービスオプション改訂７まで続く。
【００２２】
図６は、ＣＤＭＡデータサービスにより使用されるサービスオプションのリストである。ベースサービスオプション番号４および１２は非同期アプリケーションをサポートし、ベースサービスオプション番号５および１３はファックスアプリケーションをサポートし、ベースサービスオプション番号７および１５はインターネットプロトコル（ＩＰ）および接続のないネットワークプロトコル（ＣＬＮＰ）ネットワークをサポートし、ベースサービスオプション番号８および１６はセルラデジタルパケットデータ（ＣＤＰＤ）ネットワークをサポートし、ベースサービスオプション番号１０および１１はデジタル米国政府のＳＴＵ III端末のトラフィックベアラサービスを与える。
【００２３】
Ｒm インターフェース、ＣＤＭＡデータサービスオプションの選択、ＡＴダイヤルコマンドプロセスに対する要求は1998年２月出版で本発明の参考文献とされる“DATA SERVICE OPTIONS FOR WIDEBAND SPREAD SPECTRUM SYSTEMS : AT COMMAND PROCESSING AND THE Rm INTERFACE”と題するＴＩＡ／ＥＩＡ  ＩＳ-707.3標準に規定されている。ＩＳ-707.3標準は、ベースサービスオプションまたはベースサービス特徴のいずれかの選択がHayes （商標名）標準ＡＴコマンドセット言語により移動局を経て制御されることを特定している。図１で示されているように、ＭＳ 103はＲm インターフェースを介してＭＴ２装置104 に接続されているＴＥ２装置102 を含んでいる。ＴＩＡ／ＥＩＡ  ＩＳ-707.3標準方式は、ＭＳ 103で呼を開始するユーザが“ＡＴ＋ＣＲＭ”パラメータを構成することにより所望のＣＤＭＡデータサービスオプションを選択することを仮定している。図５はＣＤＭＡデータサービスオプションに対するＡＴ＋ＣＲＭパラメータコマンドのサブセットをリストしている。値がＭＴ２装置104 によりサポートされるならば、ＡＴ＋ＣＲＭパラメータに対するデフォルト値はゼロである。ゼロがサポートされないならば、デフォルト値は製造業者に特有である。
【００２４】
ＣＤＭＡデータサービスオプションの限定はＩＳ-707.3標準方式で、移動体ユーザがＡＴ＋ＣＲＭコマンドを入力する信頼性である。換言すると、所望のＣＤＭＡデータサービスオプションと特徴を選択するために、ユーザはＴＥ２装置102 で特定されていないインターフェースを経て選択を構成しなければならない。ＡＴ＋ＣＲＭパラメータ値の実際の構造は選択のための所定の種々のオプションとパラメータが不便で挑戦的であることを証明する。例えば、呼を開始するユーザが特定のパケットデータ呼（例えば移動体ＩＰ、シンプルＩＰ、セルラデジタルパケットデータ等）を開始しようと望むならば、ユーザは選択するベースサービスだけでなく、その呼に関連する所望のオプションと特徴を特定するためのＡＴダイヤルコマンドの構成方法を決定しなければならない。
【００２５】
さらに、移動体ユーザは精通していないインターフェースに従事し、所望のＣＤＭＡデータサービスオプションに応じて異なる手順を実行しなければならない。例えば、ユーザは非同期呼またはモデムエミュレーション（即ちＩＳ-707.4アプリケーション）を構成するためのアプリケーションの通信ユーザインターフェースに精通している場合であっても、ユーザはパケットデータ呼のような他のＣＤＭＡデータサービスオプション呼を設定するために他のインターフェースを操作しなければならない。
【００２６】
【発明が解決しようとする課題】
１つの提案された解決策は、ここで参考文献とされている本出願人による米国特許第08/593,222号明細書（発明の名称“Automatic Data Service Selection”,James Wilkie ）に開示されているように、パケットデータ呼に対するＣＤＭＡデータサービスオプションの選択プロセスを自動化する。特に、提案された解決策はＭＴ２ 104装置がＲm リンク上のポイント・ツー・ポイントプロトコル（ＰＰＰ）のカプセル化されたパケットを検出したときにはいつでもパケットデータサービスの選択を強制する（“THE POINT-TO-POINT PROTOCOL ”のRequest for Comments 1661 ［ＲＦＣ  1661］参照）。この自動選択はＡＴ＋ＣＲＭパラメータの設定にかかわりなく行われる。この解決策はベースサービスオプションの選択を助けるが、特定のサービスまたはそれらの関連する特徴内で有効な多数のオプションをアドレスしない。このように、解決策は全ての所望のＣＤＭＡデータサービスオプションを特有に識別することができない。
【００２７】
無線通信システムで移動体サービスオプションを決定するために無線通信装置において精通したおよびユーザにフレンドリであるシステムおよび方法が必要とされる。
【００２８】
【課題を解決するための手段】
本発明の原理と一貫したシステムおよび方法は、呼を発生する移動体ユーザにより所望された移動体データサービスオプションを決定するための精通したユーザフレンドリなシステムを提供することによって前述の必要性を解決する。
【００２９】
本発明の原理と一貫したシステムおよび方法は、ここで実施され広く説明されているように、呼を発生し、選択されたデータサービスオプションにしたがってデータを送信および受信する端末装置を含んでいる。この端末装置は呼を発生するためにＡＴダイヤルコマンドストリングを表した１以上の文字数字の符号のシーケンスを入力し、選択されたデータサービスオプションを示す情報を含んでいる通信インターフェースを含んでいる。システムはまた端末装置に結合され、無線通信システムとインターフェースし、端末装置へシグナリングメッセージを送信するための通信装置も含んでいる。通信装置は端末装置からＡＴダイヤルコマンドストリングを受信し、受信されたＡＴダイヤルコマンドストリングの内容を検査する。通信装置は前記ＡＴダイヤルコマンドストリングの内容を、記憶され予め決定された文字数字符号のシーケンスと比較する。これらの符号シーケンスは標準的な電話番号と、異なるデータサービスオプションを表す予約された電話番号シーケンスとを含んでいる。通信装置は入力されたシーケンスと、記憶され予約された電話番号シーケンスとの間に一致が存在するか否かを決定する。一致が存在するならば、通信装置は予約された電話番号シーケンスに関連する選択されたデータサービスオプションと一致したモードで動作を開始する。
【００３０】
【発明の実施の形態】
この明細書に設けられその一部を構成している添付図面は本発明の１実施形態を示し、その説明と共に、本発明の目的、利点、原理を説明する。
本発明の以下の詳細な説明は本発明と一致した好ましい実施形態を示す添付図面を参照する。その他の実施形態が可能であり、本発明の技術的範囲を逸脱せずに実施形態に対して変更を行ってもよい。それ故、以下の詳細な説明は本発明を限定する意味はない。むしろ本発明の技術的範囲は特許請求の範囲によって限定される。
【００３１】
本発明はＴＥ２装置102 とＭＴ２装置104 との間の通信を支配するプロトコルおよび標準と、既存のソフトウェア／インターフェースアプリケーションを使用し、それによってＭＴ２装置104 により呼出されるべきであるＣＤＭＡデータサービスオプションのタイプを決定する。
【００３２】
以下説明するように本発明は図面で示されている各エンティティのソフトウェア、ファームウェア、ハードウェアの多数の異なる実施形態で実行されてもよいことが当業者に明白である。例えば、ＴＥ２装置102 はユーザインターフェースを使用する通信ソフトウェアを実行する処理装置を備えているラップトップコンピュータであってもよい。このようなユーザインターフェースは出力される呼を制御／構成するためにＡＴダイヤルコマンドストリングを入力するために使用されてもよい。同様にＭＴ２装置104 はＴＥ２装置102 から来る出てゆく呼情報を監視し、比較し、および処理する処理装置を含んでもよい。このような呼情報は特定のＣＤＭＡデータサービスオプションのようなＭＴ２装置104 により発生される呼のタイプに対応する構成および動作情報を含んでもよい。ＭＴ２装置104 は高速ダイヤル動作を容易にするために電話番号に対応する予め選択された文字数字符号を記憶するためのハードウェア記憶装置／メモリコンポーネントを含んでもよい。これらのメモリコンポーネントはまたＣＤＭＡデータサービスオプションのようなリンク情報に対応する予約された電話番号シーケンスを記憶してもよい。
【００３３】
本発明の実施に使用される実際のソフトウェアコードまたは制御ハードウェアは本発明を限定するものではないことに注意する。したがって、本発明の動作および作用を実際のソフトウェアコードまたはハードウェアコンポーネントを特定して参照せずに説明する。この非特定性は、当業者がここに含まれている説明に基づいて本発明の好ましい実施形態を実行するためソフトウェアと制御ハードウェアを設計できることが明白に理解されるので可能である。
【００３４】
図７は本発明の実施形態の動作を説明した高レベルのフロー図である。この実施形態は移動体ユーザが特別なＣＤＭＡデータサービスオプションで呼を発生しようと努力していると仮定する。ユーザは通信ソフトウェアプリケーションのダイヤルアップインターフェースに予約された電話番号シーケンスを入力することによって所望のＣＤＭＡデータサービスオプションを選択する。予約された電話番号シーケンスは所望のＣＤＭＡデータサービスオプションに直接対応する。ＩＳ-707.3の特定されないインターフェースと異なって、予約された電話番号シーケンスは通常のモデム通信に関して前述した通信ソフトウェアダイヤルアップインターフェースのようなよく知られたＴＥ２装置102 インターフェースに入力される。ユーザが予約された電話番号シーケンスの入力ステップを完了した後、ＴＥ２装置102 はＡＴダイヤルコマンドストリングをフォーマットし、ＴＩＡ／ＥＩＡ 232-F  Ｒm インターフェースを介してＭＴ２装置104 へ送信する。
【００３５】
図７で示されているように、ＭＴ２装置104 は最初に、ステップＳ700 で、ＴＥ２装置102 からＡＴダイヤルコマンドストリングを受信しているか否かを問い合わせる。ノーであるならば、ＭＴ２装置104 はステップＳ710 で、ＡＴダイヤルコマンドストリングを待機する。ＡＴダイヤルコマンドストリングを受信しているならば、ＭＴ２装置104 はステップＳ720 に進む。
【００３６】
ステップＳ720 では、ＭＴ２装置104 はＡＴダイヤルコマンドストリングを検査し、そこに含まれている文字数字シーケンスを抽出する。ＭＴ２装置104 は標準的な電話番号と、予約された電話番号シーケンスとの両者を表す予め選択された文字数字符号を記憶する。前述したように、予約された電話番号シーケンスは異なるデータサービスオプションに対応し、これらが標準的な電話番号であるかのように整列され記憶されることができる。例えば、予約された電話番号シーケンスは高速ダイヤリング動作の電話番号の記憶に匹敵する方法で記憶される。
【００３７】
ステップＳ730 では、ＭＴ２装置104 はＡＴダイヤルコマンドストリングから抽出された文字数字シーケンスを、記憶された標準的な電話番号と記憶され予約された電話番号シーケンスを含んでいる予約された電話番号と比較する。
【００３８】
ステップＳ740 では、ＭＴ２装置104 はＡＴダイヤルコマンドストリングから抽出された文字数字シーケンスと、予約された電話番号シーケンスとの間に一致が存在するか否かを決定する。一致が存在しないならば、ステップＳ750 で、ＭＴ２装置104 は現在の＋ＣＲＭ設定に従うＣＤＭＡデータ呼を進め、これはデフォルトによりＩＳ-707.4  ＣＤＭＡ非同期／ファックスサービス呼である。したがって、ＭＴ２装置104 はＣＤＭＡ非同期／ファックスサービス呼に対する目的地電話番号として一致されていない入力されたシーケンスをダイヤルする。ダイヤルアップリンクを適切に設定したとき、ＭＴ２装置104 はＣＤＭＡ非同期／ファックスサービスにしたがってデータ送信を開始するために接続されていることをＴＥ２装置102 に通報する。抽出されたシーケンスと、予約された電話番号シーケンスとの間に一致が存在するならば、ＭＴ２装置104 はステップＳ760 に進む。
【００３９】
ステップＳ760 では、ＭＴ２装置104 は一致され予約された電話番号シーケンスで特定される情報に対応するモードにしたがって動作する。例えば、例示的な実施形態では、ＭＴ２装置104 は抽出されたシーケンスと、予約された電話番号シーケンスとの間の一致に応答してＩＳ-707  ＣＤＭＡデータサービスオプション呼を直ちに行う。特定された呼を行うために、ＭＴ２装置104 はその端部にリンクを構成し、したがってリンク情報を基地局または移動体中央交換局106 へ送信する。選択されたＣＤＭＡデータサービスオプションにかかわりなく、その後、ＭＴ２装置104 は通信リンクを設定し接続されていることをＴＥ２装置102 に通知する。これは選択されたＣＤＭＡデータサービスオプションに一致してデータの送信を開始するようにＴＥ２装置102 をトリガーする。さらに、別の実施形態では、抽出されたシーケンスと、予約された電話番号シーケンスとの間の一致は、ＩＳ-707  ＣＤＭＡデータサービスオプション呼を直ちに行わなくてもよく、むしろＭＴ２装置104 は、タイマ、文字カウント、またはトリガーされたパケットの検出等の予め定められたイベントの発生まで呼の進行を遅延してもよい。
【００４０】
本発明の１実施形態を例示することにより、ＣＤＭＡデータサービスオプションサポートにより無線通信ネットワーク内で動作する移動体ユーザがパケットデータ呼を設定することを望んでいると想定する。ユーザは文字数字符号のシーケンス“＃７７７”を移動体のラップトップで動作する通信ダイヤルアップインターフェースへ入力することにより呼を開始する。この例では、入力された文字シーケンス“＃７７７”は、ＣＤＭＡパケットデータサービスオプション（例えばサービスオプション７と１５）を表す予約された電話番号シーケンスとして示される。移動体ラップトップに結合された無線通信電話はラップトップから来るダイヤルされたＡＴダイヤルコマンドストリングを検査し、文字数字シーケンスを抽出し、抽出されたシーケンス“＃７７７”を１組の記憶され予約された電話番号と比較する。入力された“＃７７７”シーケンスと記憶され予約された電話番号シーケンスとの一致を検出したとき、ダイヤルアップ手順と一致して、選択されたサービスが非同期／データサービスオプションではなくても電話が遠隔モデムに“接続”されていることをラップトップに通知する。この接続は電話へのパケット送信を開始するためラップトップをトリガーし、それによって所望のパケットデータ呼を設定する。
【００４１】
それ故、本発明は、無線通信装置により行われるタイプの呼に影響するためよく知られたユーザインターフェースを使用するＣＤＭＡデータサービスオプションを選択するシステムを与える。このようにして、ユーザは異なるインターフェースと、異なるタイプのＣＤＭＡ呼を開始する手順を有する必要はない。ユーザは自身を１つのユーザインターフェースに知らせることだけしか必要とせず、任意のＣＤＭＡデータサービスオプション呼を発生するために予約された電話番号シーケンス（好ましくは電話番号フォーマット）を覚えるだけである。このシステムは複数の予約された電話番号を記憶する。その代わりに、予約された電話番号は搬送波により予め決定されるか、またはこれらは標準的なＡＴダイヤルコマンドセット言語またはその等価物により構成可能である。さらに予約された電話番号は文字数字シーケンスに限定される必要はないが、標準的なキーボードによりコンピュータに再成される任意の符号の形態を取ることができる。
【００４２】
本発明の別の実施形態は、ＲＪ−１１ジャックが設けられている無線ローカルループ電話システム（即ちＷＬＬ電話）に関する。例えば、ＷＬＬ電話はそのＲＪ−１１ポートに入力されるＤＴＭＦトーンを検査することができる。本発明の先の実施形態に類似して、ＷＬＬ電話はトーンを検査し、入力された文字数字シーケンスを抽出し、１組の記憶されたシーケンスと比較する。ＷＬＬ電話はどのタイプのＣＤＭＡデータサービスオプション呼が進行するかを決定するために入力されたシーケンスを記憶されたシーケンスに一致させることができる。
【００４３】
本発明の好ましい実施形態の前述の説明は、例示と説明を与えるが、全てを述べたものではなく、または説明した先の形態に本発明を限定することを意図しない。変形および変化が先の考察と一貫して可能であり、または本発明の実施から得られてもよい。本発明の技術的範囲は特許請求の範囲の記載およびそれらの等価物により限定される。
【図面の簡単な説明】
【図１】  無線通信装置により端末装置をインターネットへ接続する無線通信システムの高レベルのブロック図。
【図２】  ＴＩＡ／ＥＩＡ  ＩＳ-707.4中継モデルの各エンティティのプロトコルスタックの概略説明図。
【図３】  ＴＩＡ／ＥＩＡ  ＩＳ-707.5中継モデルの各エンティティのプロトコルスタックの概略説明図。
【図４】  ＴＩＡ／ＥＩＡ  ＩＳ-707.1に規定されているＣＤＭＡデータサービスオプションフォーマットの説明図。
【図５】  ＣＤＭＡ  ＡＴ＋ＣＲＭコマンドパラメータの説明図。
【図６】  ＣＤＭＡデータサービスオプション、サービスオプション、およびベースサービスオプション番号の説明図。
【図７】  本発明の実施形態の動作を説明した高レベルのフロー図。
【図１】
0004574928.tif 000002
【図２】
0004574928.tif 000003
【図３】
0004574928.tif 000004
【図４】
0004574928.tif 000005
【図５】
0004574928.tif 000006
【図６】
0004574928.tif 000007
【図７】
0004574928.tif 000008